(57)【要約】      （修正有）【課題】操作者が接触軌跡のパターンと処理動作との対応付けを認識できない場合であっても、円滑に所望の処理動作を行う。【解決手段】印字ラベル作成装置は、所望の表示を行う液晶パネル５Ａを含む少なくとも１つの動作部と、液晶パネル５Ａの直上に設けられ、表示を透かした状態で操作入力可能なタッチパネル部５Ｂと、タッチパネル部５Ｂにおける所定パターンの接触軌跡と対応する処理動作との相関を記憶する軌跡パターンメモリと、を有し、タッチパネル部５Ｂへの操作入力を検出し、検出結果に基づき、タッチパネル部５Ｂにおいて、少なくとも１つの上記所定パターンの接触軌跡の始点となりうる接触がなされたと判定された場合に、上記相関を参照して、液晶パネル５Ａに、当該始点を含む少なくとも１つの上記記所定パターンの接触軌跡にそれぞれ対応した少なくとも１つの処理動作のガイド表示を行う。【選択図】図１１
2014059847.tif 000002
【特許請求の範囲】
【請求項１】
所定の処理動作を実行可能に構成され、かつ、所望の表示を行う表示部を含む、少なくとも１つの動作部と、
前記表示部の直上に設けられ、当該表示部での表示を透かした状態で操作入力を実行可能な可能なタッチパネル部と、
前記タッチパネル部への接触による操作入力を検出する検出手段と、
前記タッチパネル部における複数の所定パターンの接触軌跡と、それら複数の所定パターンにそれぞれ対応する複数の前記処理動作と、の相関を記憶する記憶手段と、
前記検出手段の検出結果に基づき、前記タッチパネル部において、いずれかの前記所定パターンの接触軌跡が操作入力されたか否かを判定する軌跡判定処理手段と、
前記軌跡判定処理手段により前記所定パターンの接触軌跡が操作入力されたと判定された場合に、前記記憶手段に記憶された前記相関を参照し、当該所定パターンの接触軌跡に対応した前記動作部を制御して当該所定パターンに対応する前記処理動作を行う動作制御手段と、
を有する電子機器であって、
前記検出手段の検出結果に基づき、前記タッチパネル部において、少なくとも１つの前記所定パターンの接触軌跡の始点となりうる接触がなされたか否かを判定する始点判定手段と、
前記始点判定手段により前記始点となりうる接触がなされたと判定された場合に、前記記憶手段に記憶された前記相関を参照して前記表示部を制御し、当該始点を含む少なくとも１つの前記所定パターンの接触軌跡にそれぞれ対応した少なくとも１つの前記処理動作のガイド表示を行う表示制御手段と、
を有することを特徴とする電子機器。
【請求項２】
請求項１記載の電子機器において、
前記始点判定手段は、
前記検出手段により検出された接触地点が前記タッチパネル部のどの部位に相当するかに応じて、前記所定パターンの接触軌跡の始点となりうる接触がなされたか否かを判定する
ことを特徴とする電子機器。
【請求項３】
請求項１又は請求項２記載の電子機器において、
前記表示制御手段は、
前記表示部を制御し、前記ガイド表示として、前記始点をそれぞれ含む前記少なくとも１つの前記所定パターンの接触軌跡と同等のガイド軌跡表示を行う
ことを特徴とする電子機器。
【請求項４】
請求項３記載の電子機器において、
前記表示制御手段は、
前記表示部を制御し、前記ガイド表示として、さらに、前記少なくとも１つの前記所定パターンにそれぞれ対応した前記少なくとも１つの処理動作の名称を表示する
ことを特徴とする電子機器。
【請求項５】
請求項３又は請求項４記載の電子機器において、
前記軌跡判定処理手段は、
前記検出手段の検出結果に基づき、前記表示制御手段により前記表示部において表示された複数の前記ガイド軌跡表示のうちいずれか１つに沿う前記所定パターンの接触軌跡が操作入力されたか否かを判定し、
前記表示制御手段は、
前記軌跡判定処理手段により前記１つのガイド軌跡表示に沿う前記所定パターンの接触軌跡が操作入力されたと判定された場合には、前記表示部を制御し、前記複数のガイド軌跡表示のうち前記操作入力された接触軌跡に対応する前記１つのガイド軌跡表示を、それ以外の部位と異なる態様で表示する
ことを特徴する電子機器。
【請求項６】
請求項３乃至請求項５のいずれか１項記載の電子機器において、
前記軌跡判定処理手段は、
前記検出手段の検出結果に基づき、少なくとも１つの前記所定パターンの接触軌跡の終点となりうる前記タッチパネル部からの離間がなされたか否かを判定する終点判定手段と、
前記終点判定手段により前記タッチパネル部からの離間がなされたと判定された場合に、前記始点判定手段により判定された前記始点から前記終点判定手段により判定された前記終点までの接触軌跡を、操作入力された接触軌跡として確定する軌跡確定手段と、
を有し、
前記動作制御手段は、
前記軌跡確定手段により確定された接触軌跡に対し、前記記憶手段に記憶された前記相関を参照し、当該確定された接触軌跡と同等の前記所定パターンの接触軌跡に対応した前記動作部を制御して、当該所定パターンに対応する前記処理動作を行う
ことを特徴とする電子機器。
【請求項７】
請求項６記載の電子機器において、
前記軌跡判定処理手段は、
前記検出手段の検出結果に基づき、前記タッチパネル部において、前記ガイド軌跡表示の一部に沿うガイド方向と同じ順方向接触軌跡の後、当該順方向接触軌跡に沿い前記ガイド方向と逆方向となる逆方向接触軌跡が操作入力されたか否かを判定し、
前記軌跡確定手段は、
前記軌跡判定処理手段により前記逆方向接触軌跡が操作入力されたと判定された場合には、前記順方向接触軌跡及び前記逆方向接触軌跡を除外して、前記始点から前記終点までの接触軌跡を、操作入力された接触軌跡として確定する
ことを特徴とする電子機器。
【請求項８】
請求項３乃至請求項７のいずれか１項記載の電子機器において、
前記軌跡判定処理手段は、
前記検出手段の検出結果に基づき、前記タッチパネル部において、予め設定された接触軌跡有効範囲の外に逸脱する、範囲外接触軌跡が操作入力されたか否かを判定する範囲外判定手段を有し、
前記始点判定手段は、
前記軌跡判定処理手段により前記範囲外接触軌跡が操作入力されたと判定された場合には、それまでに実行していた前記始点に関する判定結果を無効化し、
前記表示制御手段は、
前記表示部を制御し、それまでに実行していた前記処理動作のガイド表示を停止する
ことを特徴とする電子機器。
【請求項９】
請求項３乃至請求項８のいずれか１項記載の電子機器において、
前記検出手段の検出結果に基づき、前記タッチパネル部において、全パターン表示用の所定態様の接触がなされたか否かを判定する接触態様判定手段を有し、
前記表示制御手段は、
前記接触態様判定手段により全パターン表示用の所定態様の接触がなされたと判定された場合には、前記表示部を制御し、前記記憶手段に記憶されているすべての前記所定パターンの接触軌跡とそれぞれ同等の前記ガイド軌跡表示を行う
ことを特徴とする電子機器。
【請求項１０】
所定の処理動作を実行する少なくとも１つの動作部を備えた電子機器に接続可能に構成され、所望の表示を行う表示部、及び、前記表示部の直上に設けられ当該表示部での表示を透かした状態で操作入力を実行可能な可能なタッチパネル部を有し、前記タッチパネル部における複数の所定パターンの接触軌跡とそれら複数の所定パターンにそれぞれ対応して前記動作部又は前記表示部が実行する複数の処理動作と、の相関を記憶する記憶手段と、を有し、操作端末が実行する操作端末の操作表示方法であって、
前記タッチパネル部への接触による操作入力を検出する検出手順と、
前記検出手順での検出結果に基づき、前記タッチパネル部において、いずれかの前記所定パターンの接触軌跡が操作入力されたか否かを判定する軌跡判定処理手順と、
前記軌跡判定処理手順で前記所定パターンの接触軌跡が操作入力されたと判定された場合に、前記記憶手段に記憶された前記相関を参照し、当該所定パターンの接触軌跡に対応して前記動作部又は前記表示部を制御して当該所定パターンに対応する前記処理動作を行う動作制御手順と、
前記検出手順での検出結果に基づき、前記タッチパネル部において、少なくとも１つの前記所定パターンの接触軌跡の始点となりうる接触がなされたか否かを判定する始点判定手順と、
前記始点判定手順で前記始点となりうる接触がなされたと判定された場合に、前記記憶手段に記憶された前記相関を参照して前記表示部を制御し、当該始点を含む少なくとも１つの前記所定パターンの接触軌跡にそれぞれ対応した少なくとも１つの前記処理動作のガイド表示を行う表示制御手順と、
を有することを特徴とする操作表示方法。
【発明の詳細な説明】
【技術分野】
【０００１】
本発明は、タッチパネル部を備えた電子機器、及び、タッチパネルを備えた操作端末の操作表示方法に関する。
【背景技術】
【０００２】
電子機器に設けたタッチパネル部に対し、操作者が接触により操作入力（いわゆるジェスチャー操作）を行い、電子機器に対して所望の動作を行わせる技術が既に知られている（例えば、特許文献１参照）。この従来技術では、操作者が、タッチパネル部に対し、予め設定されている複数の所定パターンのうちいずれかの接触軌跡が操作者により入力されると、当該所定パターンに対応した処理動作（アンダーライン、網掛け、印刷等）が実行される。このとき、接触軌跡が上記所定パターンに対して完全には一致しない場合であっても、操作者がある接触軌跡が描き終わった段階で、類似する所定パターンが選択可能に表示される。
【先行技術文献】
【特許文献】
【０００３】
【特許文献１】特開平６−２４２８８５号公報
【発明の概要】
【発明が解決しようとする課題】
【０００４】
上記従来技術では、操作者が所定パターンと処理動作との対応付けをうろ覚えであった場合でも、操作者が描き終わった接触軌跡に類似する所定パターンが選択可能に表示されるので、操作者は、自分の意図する所望の動作を電子機器に対し行わせることができる。
【０００５】
しかしながら、操作者が、上記接触軌跡のパターンと処理動作との対応付けを全く認識できない（対応付けを覚えていないか、覚えていたが忘れてしまった）場合もあり得る。上記従来技術では、操作者が一応の接触軌跡を描き終わった段階で、類似する所定パターンが選択可能な候補として表示される。したがって、上記対応付けを完全に忘れてしまった場合には対応できず、電子機器に対し所望の処理を行わせることができなくなるので、不便であった。
【０００６】
本発明の目的は、操作者が接触軌跡のパターンと処理動作との対応付けを認識できない場合であっても、円滑に所望の処理動作を行うことができ、利便性を向上できる電子機器及び操作端末の操作表示方法を提供することにある。
【課題を解決するための手段】
【０００７】
上記目的を達成するために、本願発明は、所定の処理動作を実行可能に構成され、かつ、所望の表示を行う表示部を含む、少なくとも１つの動作部と、前記表示部の直上に設けられ、当該表示部での表示を透かした状態で操作入力を実行可能な可能なタッチパネル部と、前記タッチパネル部への接触による操作入力を検出する検出手段と、前記タッチパネル部における複数の所定パターンの接触軌跡と、それら複数の所定パターンにそれぞれ対応する複数の前記処理動作と、の相関を記憶する記憶手段と、前記検出手段の検出結果に基づき、前記タッチパネル部において、いずれかの前記所定パターンの接触軌跡が操作入力されたか否かを判定する軌跡判定処理手段と、前記軌跡判定処理手段により前記所定パターンの接触軌跡が操作入力されたと判定された場合に、前記記憶手段に記憶された前記相関を参照し、当該所定パターンの接触軌跡に対応した前記動作部を制御して当該所定パターンに対応する前記処理動作を行う動作制御手段と、を有する電子機器であって、前記検出手段の検出結果に基づき、前記タッチパネル部において、少なくとも１つの前記所定パターンの接触軌跡の始点となりうる接触がなされたか否かを判定する始点判定手段と、前記始点判定手段により前記始点となりうる接触がなされたと判定された場合に、前記記憶手段に記憶された前記相関を参照して前記表示部を制御し、当該始点を含む少なくとも１つの前記所定パターンの接触軌跡にそれぞれ対応した少なくとも１つの前記処理動作のガイド表示を行う表示制御手段と、を有することを特徴とする。
【０００８】
本願発明の電子機器はタッチパネル部を備えている。そして、操作者がタッチパネルへの接触により操作入力を行うことで、電子機器の動作部に対して所望の動作を行わせることができる。
【０００９】
すなわち、記憶手段に、タッチパネル部における複数の所定パターンの接触軌跡と、それら複数の所定パターンにそれぞれ対応する複数の処理動作（例えば表示部におけるテキストのフォント選択処理、サイズ増減処理、枠付け処理、太字化処理等や、被印刷媒体への印刷を実行する印刷部を備えている場合には当該印刷部での印刷処理）と、の相関が記憶されている。そして、上記タッチパネル部への操作入力が行われると、その接触が検出手段により検出される。その後、その検出結果に基づいて、軌跡判定処理手段が、上記所定パターンの接触軌跡が操作者により操作入力されたか否かを判定する。所定パターンの接触軌跡が操作入力された場合には、動作制御手段が上記記憶手段の相関を参照することで、当該所定パターンに対応した動作部を制御する。これにより、当該動作部において、上記所定パターンに対応した処理動作が実行される。
【００１０】
以上のようにして、操作者は、タッチパネル部への接触によって所望の動作部に対し所望の動作を行わせることができる。しかしながら、上記記憶手段の相関の内容、すなわちどのようなパターンの接触軌跡にどのような処理動作が対応付けられているか、を操作者が認識できない（対応付けを覚えていないか、覚えていたが忘れてしまった）場合がある。そこで、本願発明では、始点判定手段と表示制御手段とが設けられる。操作者がタッチパネル部の適宜の１点に対し操作入力を行うと、その１点での検出手段の検出結果に基づき、当該接触が上記所定パターンの接触軌跡の始点となりうる接触であるか否かが判定される。そして、始点となりうる接触と判定された場合には、上記記憶手段に記憶された相関を参照して、その始点を含むすべての所定パターンの接触軌跡にそれぞれ対応した、すべての処理動作のガイド表示が、表示部において行われる。
【００１１】
これにより、操作者がタッチパネル部のどこか１点に接触を行うだけで、その１点からの接触軌跡により動作させることができる処理動作の内容が、タッチパネル部の直下の表示部に一覧表示される。これにより、操作者が接触軌跡のパターンと処理動作との対応付けを認識できない場合であっても、円滑に所望の処理動作を行うことができる。さらには、事前に操作者が接触軌跡のパターンと処理動作との対応付けを覚えておく必要もなくなる。これらの結果、操作者にとっての利便性を向上することができる。
【発明の効果】
【００１２】
本発明によれば、操作者が接触軌跡のパターンと処理動作との対応付けを認識できない場合であっても、円滑に所望の処理動作を行うことができ、利便性を向上することができる。
【図面の簡単な説明】
【００１３】
【図１】本発明の一実施形態による印字ラベル作成装置の外観を示す斜め上方向からの斜視図である。
【図２】印字ラベル作成装置の拡大平面図である。
【図３】液晶パネルに表示されたラベルイメージの表示例を表す説明図である。
【図４】カートリッジの内部構造を模式的に表す拡大平面図である。
【図５】印字ラベル作成装置の制御系を表す概念図である。
【図６】タッチパネル部における接触軌跡の軌跡パターンと、対応する処理動作との対応関係を表す相関の説明図である。
【図７】タッチパネル部への接触による操作入力でフォント種類変更処理を行うことを示す説明図である。
【図８】タッチパネル部への接触による操作入力で文字サイズ変更処理を行うことを示す説明図である。
【図９】タッチパネル部への接触による操作入力で枠線付加処理を行うことを示す説明図である。
【図１０】タッチパネル部への接触による操作入力で文字の斜字化処理を行うことを示す説明図である。
【図１１】タッチパネル部への右上部の接触時において液晶パネルで行われるガイド表示を表す説明図である。
【図１２】タッチパネル部への右下部の接触時において液晶パネルで行われるガイド表示を表す説明図である。
【図１３】制御回路が実行する処理手順を示すフローチャートである。
【図１４】図１３のステップＳ１００の詳細手順を表すフローチャートである。
【図１５】ガイド表示の態様を指先の到達位置で変える変形例を表す説明図である。
【図１６】制御回路が実行する処理手順を表すフローチャートである。
【図１７】所定範囲外への逸脱操作でキャンセル可能とする変形例を示す説明図である。
【図１８】制御回路が実行する処理手順を表すフローチャートである。
【図１９】特定操作で全ガイド軌跡を表示する変形例を示す説明図である。
【発明を実施するための形態】
【００１４】
以下、本発明の一実施の形態を図面を参照しつつ説明する。本実施形態では、本発明の電子機器を印字ラベル作成装置に適用した場合について示す。
【００１５】
＜印字ラベル作成装置の構成＞
図１及び図２に示すように、印字ラベル作成装置１（電子機器に相当）は、外郭を構成する筐体１Ａを備えている。筺体１Ａは、装置下面及び装置側面を構成する樹脂製の下カバー１５と、装置上面を構成する樹脂製の上カバー１７とからなる。上カバー１７は、後部側にカートリッジボルダ９（後述の図４参照）を覆うカートリッジカバー１７ａを備え、カートリッジカバー１７ａは、後端部を支点として開閉可能である。上カバー１７の前部側には、カートリッジカバー１７ａに隣接した例えば矩形状の開口縁部６が設けられている。開口縁部６の内側には、液晶パネル５Ａ（表示部に相当。後述の図５も参照）が設けられると共に、その直上に、上記液晶パネル５Ａの表示内容を透かした状態で視認しつつ操作者が所望の操作入力を行える、タッチパネル部５Ｂが配置されている。開口縁部６の周囲には操作部２が設けられている。操作部２には、上カバー１７の前方向から後方向に向けて、文字入力等の種々の操作が行われるキーボード３と、電源スイッチや上下左右キー等の印字ラベル作成装置１の各種機能を実行させるための機能キー群とが配置されている。機能キー群４は、例えば、開口部６の右側位置の電源ボタン４ｆやその下側位置の上下左右キー４ｄ、さらに下側位置の印刷キー４ｅ等を含む。
【００１６】
筺体１Ａの内部には、例えばタッチパネル部５Ｂの下側に、後述の制御回路２１０（後述の図５参照）等を構成する電子素子（ＩＣチップ等）を実装した図示しないメイン基板と、メイン基板の上記制御回路２１０にコネクタを介して接続された図示しないキー基板とが設けられている。キー基板は、上記キーボード３及び機能キー群４を構成する各キーに対応する複数のキー用接点を有し、操作者がキーボード３及び機能キー群４の各キーを操作した際にキー用接点が閉成され、これにより各キーに割り当てられた機能が実行される。
【００１７】
例えば操作者は、キーボード３と上下左右キー４ｄ等を使用し、液晶パネル５Ａに表示されタッチパネル部５Ｂ越しに視認される（以下適宜、単に「液晶パネル５Ａに表示される」という）入力位置を変えながら、文字や記号等を入力して、編集を行う。図３の例では、上記編集後の状態の一例を表しており、液晶パネル５Ａ上に、ラベルイメージＭ（この例では、文字「ＡＢＣ」の印字イメージＲ、及び、印字イメージＲを囲む長方形のラベル外形線イメージＱ）が表示されている。このようにして編集されたラベルイメージＭは、制御回路２１０に備えられた例えばＲＡＭに記憶される。なお、図３において、液晶パネル５ＡのラベルイメージＭの下側には、上記ラベルイメージＭを用いて生成される印字ラベルＬ（図２参照）の大きさ寸法Ｎ（この例では幅１２ｍｍ、長さ３０ｍｍ）が表示されている。
【００１８】
＜カートリッジホルダ及びカートリッジ＞
筺体１Ａのカートリッジカバー１７ａの内側には、図４に示すように、印字済みラベル用テープ１０９を供給するためのカートリッジ８が着脱可能な上記カートリッジホルダ９が設けられている。このカートリッジホルダ９は、上記カートリッジカバー１７ａによって常には閉塞されており、カートリッジカバー１７ａを開放するとカートリッジホルダ９が露出される。カートリッジホルダ９には、カートリッジ８内の使用済みのインクリボン１０５を巻き取るためのリボン巻取りローラ駆動軸１０７と、カートリッジ８内のカバーフィルム１０３（被印刷媒体に相当）を搬送するためのテープ送りローラ駆動軸１０８とが設けられている。またカートリッジホルダ９には、カバーフィルム１０３に所望の印刷を行うサーマルヘッド２３（印字手段に相当）が、カートリッジ８の装着時にその開口部に位置するように設けられている。サーマルヘッド２３は、カバーフィルム３の搬送方向と直交する方向に配列された複数の発熱素子２３ａ（後述の図５参照）を備え、カバーフィルム３を搬送方向に印字解像度に分割してなる各印字ライン上に少なくとも各ドットを形成することにより、カバーフィルム３への印字を行う。
【００１９】
カートリッジ８は、筐体８Ａと、この筐体８Ａ内に配置され、帯状の基材テープ１０１が巻回された第１ロール１０２（実際は渦巻き状であるが、図では簡略的に同心円状に示す）と、上記基材テープ１０１と略同じ幅である透明な上記カバーフィルム１０３が巻回された第２ロール１０４（実際は渦巻き状であるが、図では簡略的に同心円状に示す）と、上記インクリボン１０５（熱転写リボン、但し被印字テープが感熱テープの場合は不要）が巻回されたリボン供給側ロール１１１と、印字後のインクリボン１０５を巻取るリボン巻取りローラ１０６と、カートリッジ８のテープ排出部の近傍に回転可能に支持された送りローラ２７とを有する。
【００２０】
第１ロール１０２は、リール部材１０２ａの周りに上記基材テープ１０１を巻回している。基材テープ１０１は、例えば、内側に巻かれる側よりその反対側へ向かって、貼り合わせ用の粘着剤層、ベースフィルム、貼り付け用の粘着剤層、剥離紙の順序で積層され構成されている。第２ロール１０４は、リール部材１０４ａの周りに上記カバーフィルム１０３を巻回している。
【００２１】
送りローラ２７は、上記基材テープ１０１と印字形成後の上記カバーフィルム１０３とを押圧して搬送しつつ接着させて上記印字済みラベル用テープ１０９とし、得られる印字済みラベル用テープ１０９を図４中矢印Ａで示す方向に搬送する。なお、リボン巻取りローラ１０６及び送りローラ２７は、ローラ駆動用モータ２０８（後述の図５参照）の駆動力が上記リボン巻取りローラ駆動軸１０７及びテープ送りローラ駆動軸１０８（搬送手段に相当）に伝達されることによって、連動して回転駆動される。なお、この回転駆動の際、サーマルヘッド２３に対向配置されるプラテンローラ２６や、送りローラ２７に対向配置される圧着ローラ２８も同様に回転する（後述）。
【００２２】
また、印字済みラベル用テープ１０９の搬送経路に沿って送りローラ２７及び圧着ローラ２８の下流側には、印字済みラベル用テープ１０９を所定の長さに切断するための、カッタ４０が設けられている。カッタ４０の下流側には、筺体１Ａに開設したラベル排出口１Ｂ（後述の図５参照）が設けられている。
【００２３】
＜印字ラベル作成装置の制御系＞
図５を用いて、印字ラベル作成装置１の制御系を説明する。図５において、印字ラベル作成装置１には、上記サーマルヘッド２３の発熱素子２３ａへの通電を行う印刷駆動回路２０５と、上記タッチパネル部５Ｂを駆動するタッチパネル駆動回路２０７と、上記テープ送りローラ駆動軸１０８（図４参照）及びリボン巻取りローラ駆動軸１０７（図４参照）を駆動するローラ駆動用モータ２０８を制御するローラ駆動回路２０９と、カッタ４０を切断動作させるカッタソレノイド２８０への通電を制御するカッタソレノイド駆動回路３００と、印刷駆動回路２０５、タッチパネル駆動回路２０７、ローラ駆動回路２０９、カッタソレノイド駆動回路３００等を介し、印字ラベル作成装置１全体の動作を制御するための制御回路２１０と、が設けられている。操作部２のキーボード３及び機能キー群４は制御回路２１０に接続されている。タッチパネル部５Ｂは上記タッチパネル駆動回路２０７を介して制御回路２１０に接続されている。そして、制御回路２１０に、キーボード３、機能キー群４、及びタッチパネル部５Ｂの操作に対応した操作信号が入力される。また液晶パネル５Ａは制御回路２１０に接続されており、上記キーボード３や機能キー群４等の編集操作及びタッチパネル部５Ｂの操作、に基づくテキスト等のラベルイメージが、液晶パネル５Ａに表示される。制御回路２１０は、操作部２の操作及びタッチパネル部５Ｂの操作による各設定に応じて、印刷駆動回路２０５、ローラ駆動回路２０９、ローラ駆動用モータ２０８、カッタソレノイド駆動回路３００等を制御する。
【００２４】
制御回路２１０は、いわゆるマイクロコンピュータであり、詳細な図示を省略するが、中央演算処理装置であるＣＰＵ（演算手段）、ＲＯＭ、及びＲＡＭ等から構成されるとともに、例えばＥＥＰＲＯＭからなる軌跡パターンメモリ２２０（記憶手段に相当）を備えている。そして制御回路２１０は、ＲＡＭの一時記憶機能を利用しつつＲＯＭに予め記憶されたプログラム（後述の図９及び図１０等に示す印字ラベル作成方法を実行する印字ラベル作成プログラムを含む）に従って所定の処理を行う。
【００２５】
なお、制御回路２１０は、電源回路により給電されるとともに、通信回路を介し例えば通信回線に接続され、この通信回線に接続された図示しないルートサーバ、他の端末、汎用コンピュータ、及び情報サーバ等との間で情報のやりとりが可能となっている。
【００２６】
＜印字ラベル作成装置の基本動作＞
上記構成の印字ラベル作成装置１において、カートリッジ８が上記カートリッジホルダ９に装着されると、カバーフィルム１０３及びインクリボン１０５がサーマルヘッド２３とプラテンローラ２６との間に狭持されるとともに、基材テープ１０１及びカバーフィルム１０３が送りローラ２７と圧着ローラ２８との間に狭持される。一方、操作部２のキーボード３及び機能キー群４を介した編集操作により生成されたラベルイメージが液晶パネル５Ａに表示される。
【００２７】
そして、テープ送りローラ駆動軸１０８の駆動に伴い、リボン巻取りローラ１０６及び送りローラ２７が図４中矢印Ｂ及び矢印Ｃで示す方向にそれぞれ同期して回転駆動される。送りローラ２７の回転により圧着ローラ２８が回転し、第１ロール１０２から基材テープ１０１が繰り出されて送りローラ２７へ供給され、リボン巻取りローラ１０６の回転によりリボン供給ローラ１１１からインクリボン１０５が繰り出される。また、インクリボン１０５の繰り出しによりプラテンローラ２６が回転し、送りローラ２７、圧着ローラ２８、及びプラテンローラ２６の回転により第２ロール１４からカバーフィルム１０３が繰り出されて送りローラ２７へ供給される。このとき、液晶パネル５Ａに表示されたラベルイメージに基づき、印刷駆動回路２０５によりサーマルヘッド２３の複数の発熱素子２３ａが通電される。この結果、第２ロール１０４から繰り出されたカバーフィルム１０３の裏面に、上記ラベルイメージに対応した所望の印字ＲＲ（図５参照）が印刷される。
【００２８】
そして、上記基材テープ１０１と上記印刷が終了したカバーフィルム１０３とが上記送りローラ２７及び圧着ローラ２８により接着されて一体化されることにより印字済みラベル用テープ１０９として形成され、テープ排出部よりカートリッジ８外へと搬出される。カバーフィルム１０３への印字ＲＲの形成が終了したインクリボン１０５は、リボン巻取りローラ駆動軸１０７の駆動によりリボン巻取りローラ１０６に巻取られる。
【００２９】
その後、操作者が操作部２の機能キー群４に備えられたカッタキーを押すことにより、送りローラ２７のラベル搬送方向下流側のカッタ４０が作動して、印字済みラベル用テープ１０９が所定の長さに切断され、所定長の印字ラベルＬ（後述の図２参照）が生成される。生成された印字ラベルＬは、カッタ４０のラベル搬送方向下流側の図示しない排出ローラにより筺体１Ａの排出口１Ｂへ搬送され、排出口１Ｂから印字ラベル作成装置１の外部へ排出される。
【００３０】
なお、以上において、液晶パネル５Ａは、上記テープ送りローラ駆動軸１０８、上記サーマルヘッド２３、及び、上記カッタ４０等とともに、印字ラベルＬの作成処理動作を実行する少なくも１つの動作部を構成している。
【００３１】
＜本実施形態の特徴その１＞
本実施形態の特徴の１つは、液晶パネル５Ａに表示されるラベルイメージＭに対し操作者が指先等によって所定パターンの接触軌跡（以下適宜、単に「軌跡パターン」という）を描くことで、当該パターンに対応する動作が実行される点にある。以下、図６〜図１０により、タッチパネル部５Ｂに描かれる上記軌跡パターン、及び、各パターンに対応して実行される処理の例を説明する。
【００３２】
＜軌跡パターンと動作との相関＞
上述した、タッチパネル部５Ｂに描かれる軌跡パターンと、各パターンに対応して実行される処理との対応付けは、制御回路２１０の軌跡パターンメモリ２２０に相関として記憶されている。この相関の内容の一例を図６に示す。
【００３３】
図６に示す相関では、タッチパネル部５Ｂにおける複数の軌跡パターンと、複数の処理動作との間の個々の対応関係が表されている。この例では、タッチパネル５Ｂ上で左向きの直線として描かれる軌跡パターン（接触軌跡Ｋ１）には、その時点で液晶パネル５Ａに表示されている上記印字イメージＲの文字に対する、フォント種類の変更処理が対応付けられている。また、タッチパネル５Ｂ上で左向き直線の後に下向き直線となるＬ字状に描かれる軌跡パターン（接触軌跡Ｋ２）には、その時点で液晶パネル５Ａに表示されている上記印字イメージＲの文字に対する文字サイズの変更処理が対応付けられている。また、タッチパネル５Ｂ上で左向き直線、その後下向き直線、さらにその後右向き直線となる、コ字状に描かれる軌跡パターン（接触軌跡Ｋ３）には、その時点で液晶パネル５Ａに表示されている上記印字イメージＲの文字に対する枠線の付加処理が対応付けられている。また、タッチパネル５Ｂ上で下向き直線として描かれる軌跡パターン（接触軌跡Ｋ４）には、その時点で液晶パネル５Ａに表示されている上記印字イメージＲの文字に対する斜字化処理が対応付けられている。
【００３４】
なお、上記の例以外に、テープ送りローラ駆動軸１０８及びサーマルヘッド２３の協働によるカバーフィルム１０３への印刷処理、カッタ４０による印字済みラベル用テープ１０９の切断処理、等を実行するための所定の軌跡パターン（後述の図１９の変形例等を参照）等を上記相関に組み込んでもよい。
【００３５】
操作者がタッチパネル部５Ｂに対し接触した指１０等で、上記軌跡パターンの操作入力を行うと、制御回路２１０は、その検出された軌跡パターンの検出結果に基づき、図６に示されるような相関を参照して、検出された軌跡パターンに応じた処理動作を実行させるよう、当該処理動作に対応した上記動作部（液晶パネル５Ａ、テープ送りローラ駆動軸１０８、サーマルヘッド２３、及び、上記カッタ４０等）を制御する。以下、図７〜図１０にそのような処理動作の例を示す。
【００３６】
＜フォント種類の変更処理＞
図７は、フォント種類の変更処理が行われる場合を表す説明図である。図７（ａ）において、液晶パネル５Ａには、操作者により編集中のラベルイメージＭが表示されている。この例では、ラベルイメージＭに含まれる印字イメージＲは、ゴシック体による文字「ＡＢＣ」となっている。この状態で、図７（ｂ）に示すように、操作者が例えば手の指１０でタッチパネル部５Ｂ上の一点（この例では右側上部）に接触し、接触した指１０をタッチパネル部５Ｂ上で左方向に移動することで、左向きの軌跡パターンである上記接触軌跡Ｋ１を描く。これにより、図６の相関に基づき左向きの接触軌跡Ｋ１に対応付けられた、上記フォント種類の変更処理が実行される。この例では、図７（ｃ）に示すように、液晶パネル５Ａに表示される文字「ＡＢＣ」のフォント種類が、上記ゴシック体から明朝体へと変更されている。なお、上記の例では、タッチパネル部５ＢのうちラベルイメージＭの外側に相当する領域において接触軌跡Ｋ１を描いているが、これに限られず、ラベルイメージＭの内側に相当する領域において接触軌跡Ｋ１を描いてもよい（以下、図８〜図１０等に示す例においても同様）。
【００３７】
＜文字サイズの変更処理＞
図８は、文字サイズの変更処理が行われる場合を表す説明図である。図８（ａ）において、上記図７（ａ）と同様、印字イメージＲは、例えば文字サイズ１８の（ゴシック体の）フォントによる文字「ＡＢＣ」となっている。この状態で、図８（ｂ）に示すように、操作者が手の指１０でタッチパネル部５Ｂ上の一点（この例では右側上部）に接触し、接触した指１０をタッチパネル部５Ｂ上で左向きに移動した後下向きに移動することで、Ｌ字状の軌跡パターンである上記接触軌跡Ｋ２を描く。これにより、図６の相関に基づき接触軌跡Ｋ２に対応付けられた、上記文字サイズの変更処理が実行される。この例では、図８（ｃ）に示すように、液晶パネル５Ａに表示される文字「ＡＢＣ」の文字サイズが、文字サイズ１８から例えば文字サイズ２８へ拡大されている。
【００３８】
＜枠線付加処理＞
図９は、枠線の付加処理が行われる場合を表す説明図である。図９（ａ）において、上記図７（ａ）及び図８（ａ）と同様、印字イメージＲは、文字「ＡＢＣ」が含まれている。この状態で、図９（ｂ）に示すように、操作者が手の指１０でタッチパネル部５Ｂの一点（この例では右側の上部）に接触し、接触した指１０をタッチパネル部５Ｂ上で左向きに移動し、その後下向きに移動し、さらにその後右向きに移動することで、コの字状の軌跡パターンである上記接触軌跡Ｋ３を描く。これにより、図６の相関に基づき接触軌跡Ｋ３に対応付けられた、上記枠線の付加処理が実行される。この例では、図９（ｃ）に示すように、液晶パネル５Ａに表示される印字イメージＲの文字「ＡＢＣ」を囲むような枠線Ｈが付加されている。
【００３９】
＜斜字化処理＞
図１０は、文字の斜字化処理が行われる場合を表す説明図である。図１０（ａ）において、上記図７（ａ）、図８（ａ）、図９（ａ）と同様、印字イメージＲは、（斜字ではない通常の字形の）文字「ＡＢＣ」が含まれている。この状態で、図１０（ｂ）に示すように、操作者が手の指１０でタッチパネル部５Ｂの一点（この例では右側の上部）に接触し、接触した指１０をタッチパネル部５Ｂ上で下方向に移動することで、下向き直線の軌跡パターンである上記接触軌跡Ｋ４を描く。これにより、図６の相関に基づき接触軌跡Ｋ４に対応付けられた、上記斜字化処理が実行される。この例では、図１０（ｃ）に示すように、液晶パネル５Ａに表示される文字「ＡＢＣ」の字体が斜字（イタリック）化されている。
【００４０】
＜本実施形態の特徴その２＞
以上のようにして、操作者は、タッチパネル部５Ｂへ各種の軌跡パターンを描くことにより、各動作部に対する所望の動作（上記図７〜図１０の例では液晶パネル５Ａにおける各種表示処理）を行わせることができる。しかしながら、操作者が、上記相関の内容（どのような軌跡パターンにどのような処理動作が対応付けられているかが）を認識できない場合があり得る。具体的には、操作者が上記対応付けをもともと覚えていないか、覚えていたが忘れてしまった等、の場合が想定される。
【００４１】
そこで、本実施形態では、上記のような場合に対応し、操作者がタッチパネル部５Ｂの適宜の１点に接触すると、その１点を始点としうるすべての軌跡パターン及びこれに対応する処理動作のガイド表示が、液晶パネル５Ａで行われる。以下、そのガイド表示の例の詳細を、図１１及び図１２により説明する。
【００４２】
＜タッチパネル部の右上部に接触したときのガイド表示例＞
例えば、図１１（ａ）に示す例では、液晶パネル５Ａにおいて、ラベルイメージＭに含まれる印字イメージＲには、文字「ＡＢＣ」が含まれている。この状態で、図１１（ａ）に示すように、例えば、操作者が手の指１０でタッチパネル部５Ｂの右側の上部に接触する（接触点を図中網掛けの円で概念的に示している）。すると、図１１（ｂ）に示すように、液晶パネル５Ａに、ガイド表示として、当該右上部を始点とする全軌跡パターンと同等の接触軌跡（ガイド軌跡表示に相当）と、それら接触軌跡のパターンに対応する処理動作の名称と、が一覧表示される。この例では、４種類のガイド表示、すなわち、左向き直線パターンのガイド軌跡Ｇ１（上記接触軌跡Ｋ１と同等）及びこれに対応するフォント種類の変更処理を表す名称「Ｆｏｎｔ」の表示と、左向きかつその後下向きのＬ字状パターンのガイド軌跡Ｇ２（上記接触軌跡Ｋ２と同等）及びこれに対応する文字サイズの変更処理を表す名称「Ｓｉｚｅ」の表示と、左向きかつその後下向きかつその後右向きのコの字状パターンのガイド軌跡Ｇ３（上記接触軌跡Ｋ３と同等）及びこれに対応する枠線の付加処理を表す名称「Ｆｌａｍｅ」の表示と、下向きパターンのガイド軌跡Ｇ４（上記接触軌跡Ｋ４と同等）及び対応する文字の斜字化処理を表す名称「Ｉｔａｌｉｃ」の表示と、が行われる。
【００４３】
＜タッチパネル部の右下部に接触したときのガイド表示例＞
また、上記同様の文字「ＡＢＣ」の印字イメージＲを含むラベルイメージＭが表示された状態で、操作者が、図１２（ａ）に示すように、手の指１０でタッチパネル部５Ｂの右側の下部に接触する（接触点を図中網掛けの円で概念的に示している）。すると、図１２（ｂ）に示すように、液晶パネル５Ａに、ガイド表示として、当該右下部を始点とする全軌跡パターンと同等の接触軌跡（ガイド軌跡表示に相当）及びそれら軌跡パターンに対応する処理動作の名称と、が表示される。この例では、１種類のガイド表示、すなわち、左向き直線パターンのガイド軌跡Ｇ１（上記接触軌跡Ｋ１と同等）及びこれに対応するフォント種類の変更処理を表す名称「Ｆｏｎｔ」が表示される。
【００４４】
上記図１１や図１２のようなガイド表示が行われることで、操作者は、当該ガイド表示に含まれる処理動作の名称を見て、自らの所望の処理動作に対応する、上記ガイド軌跡Ｇ１〜Ｇ４のいずれかに沿った接触軌跡を、タッチパネル部５Ｂにおいて描く。これにより、上記所望の処理動作（上記の例ではフォント種類の変更処理、文字サイズの変更処理、枠線の付加処理、文字の斜字化処理等）を実行することができる。なお、図１１及び図１２の例では、ガイド軌跡Ｇ１〜Ｇ４の表示は、液晶パネル５ＡのうちラベルイメージＭの内側領域で行われている場合を示しているが、これに限られず、ラベルイメージＭの外側領域で行っても酔い。
【００４５】
＜ラベル作成時の制御手順＞
上記を実現するために制御回路２１０が実行する処理手順を、図１３により説明する。この処理は、例えば印字ラベル作成装置１の操作部２の電源ボタン４ｆが押されることによって開始される。
【００４６】
図１３において、ステップＳ１０で、まず、制御回路２１０は、キーボード３や機能キー群４等を介し、操作者による、文字や記号等の入力によるラベルイメージＭの編集操作やその他の操作を受け付ける。その後、ステップＳ２０に移る。
【００４７】
ステップＳ２０では、制御回路２１０は、液晶パネル５Ａに制御信号を出力し、上記ステップＳ１０で受け付けた編集内容に応じた姿の上記ラベルイメージＭを液晶パネル５Ａに表示させる。その後、ステップＳ３０に移る。
【００４８】
ステップＳ３０では、制御回路２１０は、タッチパネル駆動回路２０７を介し、操作者によるタッチパネル部５Ｂの操作が検出されたか否かを判定する。すなわち、タッチパネル部５Ｂにおける指１０の接触の検出は常時行われており、その検出信号（接触されているかいないかを表す信号）が制御回路２１０に入力されている。そして、このステップＳ３０では、上記接触を表す検出信号が入力されているか否かを制御回路２１０が判定する。操作者が例えば指１０をタッチパネル部５Ｂに接触するまでは、ステップＳ３０の判定が満たされず（Ｓ３０：ＮＯ）、上記ステップＳ１０に戻って同様の手順を繰り返す。操作者が例えば指１０をタッチパネル部５Ｂに接触するとステップＳ３０の判定が満たされ（Ｓ３０：ＹＥＳ）、ステップＳ４０に移る。なお、このステップＳ３０の判定が満たされた以降も、タッチパネル部５Ｂにおける上記指１０の検出は行われており、その検出信号が引き続き制御回路２１０に入力されている。なお、このステップＳ３０を実行する制御回路２１０が、各請求項記載の検出手段として機能する。
【００４９】
ステップＳ４０では、制御回路２１０は、上記タッチパネル部５Ｂからの検出信号に基づき、上記軌跡パターンメモリ２２０に記憶された前述の相関（図６参照）を参照して、タッチパネル部５Ｂにおける操作者の指１０の接触位置が、軌跡パターン（前述の例では軌跡パターンＫ１〜Ｋ４）のいずれかの始点になる位置であるか否かを判定する。タッチパネル部５Ｂでの接触位置がいずれかの上記軌跡パターンの始点位置になる場合は判定が満たされ（ステップＳ４０：ＹＥＳ）、ステップＳ５０に移る。タッチパネル部５Ｂの接触位置がいずれの軌跡パターンの始点位置にもならない場合は判定が満たされず（ステップＳ４０：ＮＯ）、上記ステップＳ１０に戻って同様の手順を繰り返す。なお、このステップＳ４０を実行する制御回路２１０が、各請求項記載の始点判定手段として機能する。
【００５０】
ステップＳ５０では、制御回路２１０は、液晶パネル５Ａに制御信号を出力し、始点位置からの軌跡パターン（例えば接触軌跡Ｋ１〜Ｋ４）と同等のガイド軌跡（例えばガイド軌跡Ｇ１〜Ｇ４）と、そのガイド軌跡に対応する処理動作の名称とを、液晶パネル５Ａにガイド表示させる。これにより、操作者は、液晶パネル５Ａに表示された上述のガイド軌跡Ｇ１〜Ｇ４及びこれに対応する処理動作の名称を見て、所望の処理動作を実行するための所望のガイド軌跡（ガイド軌跡Ｇ１〜Ｇ４のいずれか１つ。以下適宜、単に「ガイド軌跡Ｇ」と称する）を選択する。そして、接触した指１０で、タッチパネル部５Ｂ上を、上記選択した所望のガイド軌跡Ｇに沿ってなぞる接触動作を行うことで、所望の処理動作を実行するための軌跡パターンを操作入力することができる。
【００５１】
すなわち、例えば、タッチパネル部５Ｂにおいて、ガイド軌跡Ｇ１に沿ってなぞる接触動作を行うことにより、フォント種類の変更処理が対応付けられた接触軌跡Ｋ１（図７（ｂ）参照）を操作入力することができる。同様に、タッチパネル部５Ｂにおいて、ガイド軌跡Ｇ２に沿ってなぞる接触動作を行うことにより、文字サイズの変更処理が対応付けられた接触軌跡Ｋ２（図８（ｂ）参照）を操作入力することができる。同様に、タッチパネル部５Ｂにおいて、ガイド軌跡Ｇ３に沿ってなぞる接触動作を行うことにより、枠線の付加処理が対応付けられた接触軌跡Ｋ３（図９（ｂ）参照）を操作入力することができる。同様に、タッチパネル部５Ｂにおいて、ガイド軌跡Ｇ４に沿ってなぞる接触動作を行うことにより、斜字化処理が対応付けられた接触軌跡Ｋ４（図１０（ｂ）参照）を操作入力することができる。以上のようにしてステップＳ５０が終了すると、ステップＳ６０に移る。なお、このステップＳ５０を実行する制御回路２１０が、各請求項記載の表示制御手段として機能する。
【００５２】
ステップＳ６０では、制御回路２１０は、上記タッチパネル部５Ｂからの上記検出信号に基づき、上記軌跡パターンメモリ２２０に記憶された前述の相関（図６参照）を参照して、タッチパネル部５Ｂにおいて、上記いずれかの軌跡パターンが操作入力されたか否かを判定する。操作者によりいずれかの軌跡パターンの操作入力が行われれば判定が満たされ（ステップＳ６０：ＹＥＳ）、ステップＳ８０に移る。操作者によりいずれかの軌跡パターンの操作入力も行われなければ判定が満たされず（ステップＳ６０：ＮＯ）、上記ステップＳ５０に戻って同様の手順を繰り返す。なお、このステップＳ６０を実行する制御回路２１０が、各請求項記載の軌跡判定処理手段として機能する。
【００５３】
ステップＳ８０では、制御回路２１０は、上記ステップＳ６０で操作入力された軌跡パターンに対応する処理動作を実行する上記動作部に制御信号を出力し、当該対応する処理を行わせる。また、制御回路２１０は、その処理結果を液晶パネル５Ａに表示させる。これにより、例えば、ステップＳ６０において上記接触軌跡Ｋ１（図７（ｂ）参照）の操作入力が行われた場合、液晶パネル５Ａにその時点で表示されているラベルイメージＭ中の印字イメージＲのフォント種類の変更処理が実行される（図７（ｃ）参照）。また、ステップＳ６０において上記接触軌跡Ｋ２（図８（ｂ）参照）の操作入力が行われた場合、液晶パネル５Ａにその時点で表示されているラベルイメージＭ中の印字イメージＲの文字サイズの変更処理が実行される（図８（ｃ）参照）。また、ステップＳ６０において上記接触軌跡Ｋ３（図９（ｂ）参照）の操作入力が行われた場合、液晶パネル５Ａにその時点で表示されているラベルイメージＭ中の印字イメージＲに対する枠線の付加処理が実行される（図９（ｃ）参照）。また、ステップＳ６０において上記接触軌跡Ｋ４（図１０（ｂ）参照）の操作入力が行われた場合、液晶パネル５Ａにその時点で表示されているラベルイメージＭ中の印字イメージＲの文字の斜字化処理が実行される（図１０（ｃ）参照）。その後、ステップＳ９０に移る。なお、このステップＳ８０を実行する制御回路２１０が、各請求項記載の動作制御手段として機能する。
【００５４】
ステップＳ９０では、制御回路２１０は、操作者による印刷指示があったか否かを判定する。すなわち、操作者は、操作部２に備えられた上記印刷キー４ｅを押すことで、印刷指示を行う。この印刷指示があった場合はステップＳ９０の判定が満たされ（ステップＳ９０：ＹＥＳ）、ステップＳ１００に移る。上記印刷指示がない場合は判定が満たされず（ステップＳ９０：ＮＯ）、上記ステップＳ８０に戻って同様の手順を繰り返す。
【００５５】
ステップＳ１００では、制御回路２１０は、上記ステップＳ９０で表示されたラベルイメージＭに基づく印字ラベルＬの作成処理（後述する）を実行する。その後、このフローを終了する。
【００５６】
上記ステップＳ１００のラベル作成処理の詳細手順を、図１４により説明する。
【００５７】
図１４において、まず、ステップＳ１１０で、制御回路２１０は、ローラ駆動回路２０９に制御信号を出力し、ローラ駆動用モータ２０９の駆動を開始する。これにより、テープ送りローラ駆動軸１０８が回転駆動して送りローラ２７の回転が開始され、前述のように、カバーフィルム１０３、基材テープ１０１、及びこれらが貼り合わされた印字済みラベル用テープ１０９の搬送が開始される。その後、ステップＳ１２０に移る。
【００５８】
ステップＳ１２０では、制御回路２１０は、カバーフィルム１０３の搬送方向位置が所定の印刷開始位置に達したか否かを公知の手法で判定する。印刷開始位置に達していない場合は判定が満たされず（ステップＳ１２０：ＮＯ）、ステップＳ１１０に戻って同様の手順を繰り返す。印刷開始位置に達したらステップＳ１２０の判定が満たされ（ステップＳ１２０：ＹＥＳ）、ステップＳ１３０に移る。
【００５９】
ステップＳ１３０では、制御回路２１０は、印刷駆動回路２０５に対し、上記図１３のステップＳ８０で表示したラベルイメージＭに基づく制御信号（印刷データ）を出力する。これにより、上記印刷データに対応してサーマルヘッド２３の発熱素子２３ａが駆動され、カバーフィルム１０３に対し、当該印刷データに対応した印字の形成が開始される。その後、ステップＳ１４０に移る。
【００６０】
ステップＳ１４０では、制御回路２１０は、カバーフィルム１０３の搬送方向位置が所定の印刷終了位置に達したかどうか否かを公知の手法で判定する。印刷終了位置に達していない場合は判定が満たされず（ステップＳ１４０：ＮＯ）、ループ待機する。印刷終了位置に達したらステップＳ１４０の判定が満たされ（ステップＳ１４０：ＹＥＳ）、ステップＳ１５０に移る。
【００６１】
ステップＳ１５０では、制御回路２１０は、印刷駆動回路２０５に対して制御信号を出力し、上記印刷データに対応したサーマルヘッド２３の発熱素子２３ａの通電を停止し、印刷を終了させる。その後、ステップＳ１６０に移る。
【００６２】
ステップＳ１６０では、制御回路２１０は、印字済みラベル用テープ１０９の搬送方向位置がテープ切断位置まで到達したか否かを公知の手法で判定する。テープ切断位置に到達するまでは判定が満たされず（ステップＳ１６０：ＮＯ）ループ待機し、テープ切断位置に到達したらステップＳ１６０の判定が満たされ（ステップＳ１６０：ＹＥＳ）、ステップＳ１７０に移る。
【００６３】
ステップＳ１７０では、制御回路２１０は、ローラ駆動回路２０９に制御信号を出力し、ローラ駆動用モータ２０８の駆動を停止する。これにより、送りローラ２７の回転が停止し、カバーフィルム１０３、基材テープ１０１、及びこれらが貼り合わされた印字済みラベル用テープ１０９の搬送が停止する。その後、ステップＳ１８０に移る。
【００６４】
ステップＳ１８０では、制御回路２１０は、カッタソレノイド駆動回路３００に制御信号を出力する。これにより、カッタソレノイド２８０が通電されて励磁され、カッタ４０が切断動作を行って、印字済みラベル用テープ１０９を所定の長さで切断する。その結果、操作者が編集したラベルイメージＭに基づく印字内容を有する印字ラベルＬ（図２参照）が生成される。その後、このフローを終了する。
【００６５】
以上説明したように、本実施形態の印字ラベル作成装置１では、操作者がタッチパネル部５Ｂへの接触により操作入力を行うと、そのタッチパネル部５Ｂからの上記検出信号に基づき、上記軌跡パターン（上記の例では軌跡パターンＫ１〜Ｋ４のいずれか。以下適宜、単に「軌跡パターンＫ」という）が操作者により操作入力されたか否かが判定される。軌跡パターンＫが操作入力された場合には、軌跡パターンメモリ２２０の相関を参照することで、当該パターンに対応した処理動作が実行される。その際、本実施形態では、操作者がタッチパネル部５Ｂの適宜の１点に対し操作入力を行うと、その１点が上記軌跡パターンＫの始点となりうるか否かが判定される。そして、始点となりうる接触と判定された場合には、上記相関を参照して、その始点を含むすべてのパターン軌跡Ｋに対応した、すべての処理動作のガイド表示が、液晶パネル５Ａにおいて一覧表示される。
【００６６】
これにより、操作者がタッチパネル部５Ｂのどこか１点に接触を行うだけで、その１点からの接触軌跡により動作させることができる処理動作の内容が液晶パネル５Ａに一覧表示される。この結果、操作者が接触軌跡のパターンと処理動作との対応付けを認識できない場合であっても、円滑に所望の処理動作を行うことができる。さらには、事前に操作者が接触軌跡のパターンと処理動作との対応付けを覚えておく必要もなくなる。これらの結果、操作者にとっての利便性を向上することができる。
【００６７】
また、本実施形態では特に、検出された接触地点がタッチパネル部５Ｂのどの部位に相当するかに応じて、上記軌跡パターンＫの始点となりうる接触がなされたか否かが判定される（上記図１３のステップＳ４０、図１１、図１２等参照）。これにより、操作者がタッチパネル部５Ｂのどこか１点に接触を行ったとき、その１点からの接触軌跡では実行することができない処理動作を確実に除外して、上記一覧表示を行うことができる。
【００６８】
また、本実施形態では特に、液晶パネル５Ａにおいて、上記ガイド表示として、上記始点をそれぞれ含む上記少なくとも１つのパターン軌跡Ｋと同等のガイド軌跡Ｇの表示を行う。これにより、操作者がタッチパネル部５Ｂのどこか１点に接触を行ったとき、処理動作を実行するためにその１点から描くべき接触軌跡を、操作者が視覚的にわかりやすく認識することができる。この結果、さらに利便性を向上することができる。
【００６９】
また、本実施形態では特に、液晶パネル５Ａにおいて、上記ガイド表示として、さらに、上記パターン軌跡Ｋにそれぞれ対応した少なくとも１つの処理動作の名称（上記の例では「Ｆｏｎｔ」「Ｓｉｚｅ」「Ｆｒａｍｅ」「Ｉｔａｌｉｃ」）が表示される。これにより、操作者がタッチパネル部５Ｂのどこか１点に接触を行ったとき、その１点から描くべき接触軌跡とそれに対応する処理動作の内容を、操作者が視覚的にわかりやすく認識することができる。この結果、さらに確実に利便性を向上することができる。
【００７０】
なお、本発明は、上記実施形態に限られるものではなく、その趣旨及び技術的思想を逸脱しない範囲内で種々の変形が可能である。以下、そのような変形例を順を追って説明する。
【００７１】
（１）ガイド表示の態様を指先の到達位置で変える場合
すなわち、液晶パネル５Ａに表示されたガイド軌跡Ｇのうち、既にそれに沿った操作入力がなされた部分をそれ以外の部位と異なる態様で表示してもよい。そのような本変形例を図１５及び図１６により説明する。
【００７２】
＜液晶パネルの表示＞
例えば、図１５（ａ）は、図１１（ｂ）と同様、タッチパネル部５Ｂの右側の上部への接触により、液晶パネル５Ａに当該右上部を始点とする全軌跡パターンＫ１〜Ｋ４と同等のガイド軌跡Ｇ１〜Ｇ４と、それらに対応する処理動作の名称と、が一覧表示されている。
【００７３】
上記の状態から、例えば図１５（ｂ）に示すように、操作者が指１０をガイド軌跡Ｇ１に沿って（順方向に）左向きになぞることで、指１０がタッチパネル部５Ｂの左上部（すなわちガイド軌跡Ｇ１の終点）まで移動する。すると、液晶パネル５Ａのガイド軌跡Ｇ１の表示が、それ以外のガイド軌跡Ｇ２〜Ｇ３の表示とは異なる別態様の表示（この例では点滅表示（図１５（ｂ）中では模式的に点線で示す。以下同様）に変わる。これにより、ガイド軌跡Ｇ１に対応した接触軌跡Ｋ１が操作入力されたこととなるので、フォント種類の変更処理が行われ、液晶パネル５Ａに表示されたラベルイメージＭは、印字イメージＲの文字「ＡＢＣ」のフォント種類が例えばゴシック体から明朝体へと変更される。なお、もしこのタイミングで指１０をタッチパネル部５Ｂから離した場合には、接触軌跡Ｋ１の操作入力が確定（フォント種類の変更処理を実行することが確定）する（後述の図１６のステップＳ７４参照）。
【００７４】
その後、上記図１５（ｂ）の状態から、例えば図１５（ｃ）に示すように、操作者がガイド軌跡Ｇ２の後半部のガイド方向と同じ（順方向に）下向きにさらにタッチパネル部５Ｂ上をなぞることで、指１０がタッチパネル部５Ｂの左下部（すなわちガイド軌跡Ｇ２の終点）まで移動する。すると、ガイド軌跡Ｇ１の表示は点滅からもとの態様に戻り、代わりにガイド軌跡Ｇ２が点滅表示に変わる。これにより、ガイド軌跡Ｇ２に対応した接触軌跡Ｋ２が操作入力されたこととなるので、文字サイズの変更処理が行われ、液晶パネル５Ａに表示されたラベルイメージＭは、印字イメージＲの文字「ＡＢＣ」の文字サイズが例えば文字サイズ１８から文字サイズ２８へと変更される。なお、もしこのタイミングで指１０をタッチパネル部５Ｂから離した場合には、接触軌跡Ｋ２の操作入力が確定（文字サイズの変更処理を実行することが確定）する（後述の図１６のステップＳ７４参照）。
【００７５】
その後、上記図１５（ｃ）の状態から、例えば図１５（ｄ）に示すように、操作者がタッチパネル部５Ｂの左下部まで移動した指１０を、上記ガイド軌跡Ｇ２のガイド方向とは逆方向に上向きになぞり、指１０をタッチパネル部５Ｂの左上部まで戻す。すると、液晶パネル５Ａにおいて、ガイド軌跡Ｇ２の表示が消失し（この例ではガイド軌跡Ｇ３も消失する）、前述のガイド軌跡Ｇ１の表示が再び点滅する。これにより、上記図１５（ｃ）の状態までの接触軌跡Ｋ２の操作入力が取り消され、対応する文字サイズの変更処理が取り消されるとともに、接触軌跡Ｋ１の操作入力状態に変わり、対応するフォント種類の変更処理が行われる。これにより、液晶パネル５Ａに表示されたラベルイメージＭは、印字イメージＲの文字「ＡＢＣ」が図１５（ｂ）と同じ状態に戻り、文字「ＡＢＣ」が文字サイズ１８の明朝体のフォントで表示される。そして、もしこのタイミングで指１０をタッチパネル部５Ｂから離した場合には、接触軌跡１２の操作入力が確定（フォン路種類の変更処理を実行することが確定）する（後述の図１６のステップＳ７４参照）。
【００７６】
＜制御手順＞
上記を実現するために、本変形例の制御回路２１０が実行する処理手順を、図１６により説明する。図１６のフローチャートでは、図１３のフローチャートのステップＳ６０を削除するとともに、ステップＳ５０とステップＳ８０との間に、ステップＳ６５、ステップＳ７０、ステップＳ７２、ステップＳ７４が新たに設けられている。
【００７７】
図１６において、ステップＳ１０〜ステップＳ５０は、図１３と同様である。上記ステップＳ５０において、前述したように、始点位置からのガイド軌跡Ｇ１〜Ｇ４と、それらガイド軌跡Ｇ１〜Ｇ４に対応する処理動作の名称とが液晶パネル５Ａでガイド表示された後、新たに設けたステップＳ６５に移る。
【００７８】
ステップＳ６５では、制御回路２１０は、上記タッチパネル部５Ｂからの上記検出信号に基づき、上記軌跡パターンメモリ２２０に記憶された前述の相関（図６参照）を参照して、タッチパネル部５Ｂにおける操作者の指１０の接触位置が、軌跡パターンＫ１〜Ｋ４のいずれかの終点になる位置であるか否かを判定する。タッチパネル部５Ｂでの接触位置がいずれかの軌跡パターンＫの終点位置になる場合は判定が満たされ（ステップＳ６５：ＹＥＳ）、新たに設けたステップＳ７０に移る。タッチパネル部５Ｂの接触位置がいずれの軌跡パターンＫの終点位置にもならない場合は判定が満たされず（ステップＳ６５：ＮＯ）、上記ステップＳ５０に戻って同様の手順を繰り返す。
【００７９】
ステップＳ７０では、制御回路２１０は、液晶パネル５Ａに制御信号を出力し、上記ステップＳ４０で始点位置であると判定されステップＳ６５で終点位置であると判定された当該軌跡パターンＫに対応するガイド軌跡Ｇを、それ以外のガイド軌跡Ｇと異なる別態様で表示（この例では点滅表示）する。その後、新たに設けたステップＳ７２に移る。なお、上記ステップＳ７０と前述のステップＳ５０とを実行する制御回路２１０が、各請求項記載の表示制御手段として機能する。
【００８０】
ステップＳ７２では、制御回路２１０は、上記タッチパネル部５Ｂからの上記検出信号に基づき、指１０がタッチパネル部５Ｂから離れたか否かを判定する。指１０がタッチパネル部５Ｂに接触していれば判定が満たされず（ステップＳ７２：ＮＯ）、上記ステップＳ５０に戻って同様の手順を繰り返す。指１０がタッチパネル部５Ｂから離れていれば判定が満たされ（ステップＳ７２：ＹＥＳ）、新たに設けたステップＳ７４に移る。なお、上記ステップＳ７２を実行する制御回路２１０が、各請求項記載の終点判定手段として機能する。
【００８１】
ステップＳ７４では、制御回路２１０は、上記ステップＳ４０で始点位置であると判定されステップＳ６５で終点位置であると判定された当該軌跡パターンＫ（言い換えれば上記ステップＳ７０において別態様で表示されたガイド軌跡Ｇに対応した軌跡パターンＫ）を、今回操作者により操作入力された軌跡パターンとして確定する。その後、ステップＳ８０に移る。なお、上記ステップＳ７４を実行する制御回路２１０が、各請求項記載の軌跡確定手段として機能する。そして、このステップＳ７４と上記ステップＳ７２とを実行する制御回路２１０が、各請求項記載の軌跡判定処理手段として機能する。
【００８２】
以降、ステップＳ８０〜ステップＳ１００は、図１３と同様であり、説明を省略する。
【００８３】
本変形例においても、上記実施形態と同様の効果を得る。また、タッチパネル部５Ｂからの上記検出信号に基づき、液晶パネル５Ａにおいて表示されたガイド軌跡Ｇのうちいずれか１つに沿う軌跡パターンＫが操作入力された場合には、操作入力された軌跡パターンＫに対応する１つのガイド軌跡Ｇを、点滅表示等の、それ以外の部位と異なる態様で表示する。これにより、操作者が複数のガイド軌跡Ｇのうちの所望の１つに沿ってタッチパネル部５Ｂ上で接触軌跡を描いていったとき、当該１つのガイド軌跡Ｇに対応する所定パターンの入力として、印字ラベル作成装置１によって確実に認識されていることを、操作者に対し視覚的に明らかにすることができる。
【００８４】
また本変形例では、軌跡パターンＫの終点となりうる位置においてタッチパネル部５Ｂからの離間がなされた場合に、始点から終点までのパターン軌跡Ｋを、操作入力された接触軌跡として確定する（ステップＳ７４）。そして、確定されたパターン軌跡Ｋに対応する上記動作部の処理動作が行われる。これにより、操作者がタッチパネル部５Ｂ上のどこか１点（始点）から別の１点（終点）まで接触軌跡を描くだけで、その軌跡に対応したパターン軌跡Ｋに基づく処理動作を容易に実行させることができる。
【００８５】
さらに本変形例では、タッチパネル部５Ｂにおいて、ガイド軌跡Ｇの一部に沿う順方向接触軌跡の後、それとは逆方向となる逆方向接触軌跡が操作入力された場合には、順方向接触軌跡及び逆方向接触軌跡を除外して、始点から終点までの接触軌跡を、操作入力されたパターン軌跡Ｋとして確定する（図１５（ｄ）、図１６のステップＳ７２及びステップＳ７４等を参照）。これにより、操作者がタッチパネル５Ｂ上の１点（始点）から接触軌跡を描き始めた後、折り返して逆行する接触軌跡を描くことで、当該折り返しによる往復軌跡部分の操作入力を実質的にキャンセルすることができる（図１５（ｄ））。この結果、さらに利便性を向上することができる。
【００８６】
（２）所定範囲外への逸脱操作でキャンセル可能とする場合
本変形例では、タッチパネル部５Ｂにおいて予め設定された接触軌跡有効範囲の外に逸脱するような軌跡（範囲外接触軌跡）が操作入力された場合に、それまでに実行していた処理動作のガイド表示を停止する。本変形例を図１７及び図１８により説明する。
【００８７】
＜液晶パネルの表示＞
例えば前述の図１５（ａ）〜図１５（ｃ）とそれぞれ同様の図１７（ａ）〜図１７（ｃ）に示す操作が行われた場合を考える。上記したように、タッチパネル部５Ｂの右側上部への接触が行われた状態（図１７（ａ））からタッチパネル部５Ｂの左上部まで指１０が移動すると（図１７（ｂ））、ガイド軌跡Ｇ１が点滅表示してフォント種類の変更処理が行われる。さらにタッチパネル部５Ｂの左下部まで指１０が移動すると（図１７（ｃ））、ガイド軌跡Ｇ２が点滅表示して文字サイズの変更処理が行われる。
【００８８】
その後、上記図１７（ｃ）の状態から、例えば図１７（ｄ）に示すように、指１０がさらにタッチパネル部５Ｂ上を下方に移動して、タッチパネル部５Ｂの接触軌跡有効範囲（タッチパネル部５Ｂの外縁内部の全域でもよいし、上記全域よりもやや狭くなるように外縁よりも内側に別途設定された領域でもよい）の外の領域に達する。すると、それまでに実行していた全ての処理動作（この例ではフォント種類変更処理及び文字サイズ変更処理）がキャンセルされるとともに、それまでのガイド表示（図１７（ａ）〜（ｃ）のガイド軌跡Ｇ１，Ｇ２，Ｇ３，Ｇ４）がすべて停止され、なにもガイド表示が行われない状態に戻る。
【００８９】
＜制御手順＞
上記を実現するために、本変形例の制御回路２１０が実行する処理手順を、図１８により説明する。図１８のフローチャートでは、図１６のフローチャートのステップＳ５０とステップＳ７２との間に、ステップＳ７６及びステップＳ７８が新たに設けられている。
【００９０】
図１８において、ステップＳ１０〜ステップＳ７２は、図１６と同様である。上記ステップＳ７２において、指１０がタッチパネル部５Ｂに接触している場合は判定が満たされず（ステップＳ７２：ＮＯ）、新たに設けたステップＳ７６に移る。
【００９１】
ステップＳ７６では、制御回路２１０は、上記タッチパネル部５Ｂからの上記検出信号に基づき、指１０がタッチパネル部５Ｂの上記接触軌跡有効範囲の外に逸脱したか否かを判定する。指１０が上記接触軌跡有効範囲内に位置する場合は判定が満たされず（ステップＳ７６：ＮＯ）、上記ステップＳ５０に戻って同様の手順を繰り返す。指１０が上記接触軌跡有効範囲外に逸脱していた場合は判定が満たされ（ステップＳ７６：ＹＥＳ）、ステップＳ７８に移る。なお、上記ステップＳ７６を実行する制御回路２１０が、各請求項記載の範囲外判定手段として機能する。また、このステップＳ７６、及び、上記ステップＳ７２、ステップＳ７４を実行する制御回路２１０が、各請求項記載の軌跡判定処理手段として機能する。
【００９２】
ステップＳ７８では、制御回路２１０は、液晶パネル５Ａに制御信号を出力し、これまで表示していたガイド軌跡Ｇの表示及びこれに対応する処理動作の名称の表示を停止する。このステップＳ７８、及び、上記ステップＳ３０、上記ステップＳ５０、ステップＳ７０を実行する制御回路２１０が、各請求項記載の表示制御手段として機能する。ステップＳ７８が終了すると、上記ステップＳ３０に戻って同様の手順を繰り返す。
【００９３】
上記以外の各手順は、図１６と同様であり、説明を省略する。
【００９４】
本変形例においては、タッチパネル５Ｂ上での操作が、予め設定された接触軌跡有効範囲の外に逸脱した場合には、それまでに実行していた処理が無効化され、またそれまでに実行していたガイド軌跡Ｇの表示が停止される。これにより、操作者がタッチパネル部５Ｂ上の１点（始点）から接触軌跡を描き始めた後、接触軌跡有効範囲の外に軌跡を逸脱させることで、それまでの操作入力をすべて実質的にキャンセルすることができる。この結果、さらに利便性を向上することができる。
【００９５】
（３）特定操作で全ガイド軌跡を表示する場合
すなわち、本変形例では、例えば図１９（ａ）に示すように、タッチパネル部５Ｂの任意の一点に対し特定態様の接触操作（この例ではダブルクリック）が行われる。すると、図１９（ｂ）に示すように、液晶パネル５Ａにおいて、タッチパネル部５Ｂで操作入力できる全ての接触軌跡Ｋ１〜Ｋ７と同等のガイド軌跡Ｇ１〜Ｇ７、及び、それぞれに対応する処理動作の名称、とが一覧表示される。
【００９６】
図示の例では、ガイド表示として、上述と同様の、ガイド軌跡Ｇ１及び「Ｆｏｎｔ」の表示と、ガイド軌跡Ｇ２及び「Ｓｉｚｅ」と、ガイド軌跡Ｇ３及び「Ｆｒａｍｅ」と、ガイド軌跡Ｇ４及び「Ｉｔａｌｉｃ」と、が表示されている。さらに上記に加え、右向き直線パターンのガイド軌跡Ｇ５及びこれに対応する（テープ送りローラ駆動軸１０８及びサーマルヘッド２３の協働による）印刷処理を表す名称「Ｐｒｉｎｔ」の表示と、上向きパターンのガイド軌跡Ｇ６及び対応する（カッタ４０による）切断処理を表す名称「Ｃｕｔ」の表示と、右向きかつその後上向きのＬ字状パターンのガイド軌跡Ｇ７及びこれに対応する印刷・切断処理を表す名称「Ｐｒｉｎｔ＆Ｃｕｔ」の表示と、が行われる。
【００９７】
本変形例によれば、操作者がタッチパネル部５Ｂに対し特定の態様の接触（この例ではダブルクリック）を行うことで、タッチパネル部５Ｂでの接触軌跡により実行できるすべての処理動作を液晶パネル５Ａに一覧表示することができる。この結果、さらに利便性を向上することができる。
【００９８】
（４）スマートフォン等の携帯操作端末に適用した場合
すなわち、本変形例では、電子機器としての印字ラベル作成装置に情報送受信可能に接続された、タッチパネル部と液晶パネル等の表示部とを備えた（いわゆるスマートフォン等の）携帯操作端末が用いられる。そして、当該携帯操作端末に備えられた適宜の演算手段によって、上記図１３、図１６、図１８それぞれにおけるステップＳ９０までの全手順による操作端末の操作表示方法が実行される。そして、携帯操作端末の適宜の操作手段による印刷指示がなされ上記ステップＳ９０の判定が満足したら、ステップＳ１００に対応して新たに設けたステップＳ１００′（図示せず）において、携帯操作端末から印字ラベル作成装置へそれまでに生成した印刷データ（ステップＳ９０までの全手順で生成されたラベルイメージＭに対応）が送信され印刷指示が行われる。これにより、当該印刷データを受信した印字ラベル作成装置１によって、当該印刷データに対応した印字ラベルＬを作成することができる。
【００９９】
なお、この場合は、上記相関は携帯操作端末に設けられた適宜のメモリ（記憶手段に相当）に記憶されている。また、上記ステップＳ３０が各請求項記載の検出手順に相当し、図１３のステップＳ６０、図１６のステップＳ７２やステップＳ７４、図１８のステップＳ７６、上記ステップＳ７２、ステップＳ７４が、軌跡判定処理手順に相当する。また、図１３、図１６、図１８のステップＳ８０が動作制御手順に相当し、ステップＳ４０が始点判定手順に相当する。また、図１３のステップＳ５０、図１５のステップＳ５０及びステップＳ７０、図１８の上記ステップＳ３０、上記ステップＳ５０、ステップＳ７０、ステップＳ７８が、表示制御手順に相当する。
【０１００】
本変形例によれば、携帯操作端末からの操作により印字ラベルＬの作成処理を行う場合にも、本発明を適用することができる。
【０１０１】
なお、以上において、図５中に示す矢印は信号の流れの一例を示すものであり、信号の流れ方向を限定するものではない。
【０１０２】
また、図１３、図１４、図１６、図１８に示すフローチャートは本発明を上記フローに示す手順に限定するものではなく、発明の趣旨及び技術的思想を逸脱しない範囲内で手順の追加・削除又は順番の変更等をしてもよい。
【０１０３】
また、以上既に述べた以外にも、上記実施形態や各変形例による手法を適宜組み合わせて利用しても良い。
【０１０４】
その他、一々例示はしないが、本発明は、その趣旨を逸脱しない範囲内において、種々の変更が加えられて実施されるものである。
【符号の説明】
【０１０５】
１                印字ラベル作成装置（電子機器）
５                タッチパネル部（動作部）
２３              サーマルヘッド（動作部）
４０              カッタ（動作部）
１０８            テープ送りローラ駆動軸（動作部）
１０９            印字済みラベル用テープ
２１０            制御回路
２２０            軌跡パターンメモリ（記憶手段）
Ｌ                印字ラベル
Ｍ                ラベルイメージ
Ｒ                印字イメージ
【図１】
2014059847.tif 000003
【図２】
2014059847.tif 000004
【図３】
2014059847.tif 000005
【図４】
2014059847.tif 000006
【図５】
2014059847.tif 000007
【図６】
2014059847.tif 000008
【図７】
2014059847.tif 000009
【図８】
2014059847.tif 000010
【図９】
2014059847.tif 000011
【図１０】
2014059847.tif 000012
【図１１】
2014059847.tif 000013
【図１２】
2014059847.tif 000014
【図１３】
2014059847.tif 000015
【図１４】
2014059847.tif 000016
【図１５】
2014059847.tif 000017
【図１６】
2014059847.tif 000018
【図１７】
2014059847.tif 000019
【図１８】
2014059847.tif 000020
【図１９】
2014059847.tif 000021